(57)【要約】  【課題】野菜や果菜、花卉等の栽培に適する砂耕栽培ベッドの設置現場が急勾配や凹凸の激しい場合でも、各支柱ごとに容易に高さ調節でき、しかも砂耕栽培ベッド自体も簡素で安価な構造を実現する。  【解決手段】複数の支柱で、地面から所定の高さに、栽培用の砂耕ベッドを設置してなる構造において、各支柱を挿通する筒体の下端に沈降防止板を固定し地面に載置した状態で、各支柱を前記筒体に挿通支持してあるため、各支柱が土中に沈降するのを防止でき、しかも支持位置の選定によって、各支柱ごとに任意の高さに設定できる。また、各支柱は、前記の筒体を貫通した状態で土中に立ててあるため、砂耕ベッドの安定性が確保される。【選択図】図２
0003135625.tif 000002
【実用新案登録請求の範囲】
【請求項１】
複数の支柱で、地面から所定の高さに、栽培用の砂耕ベッドを設置する構造において、
各支柱を挿通する筒体の下端に沈降防止板を取付けてあること、
各支柱は、前記の筒体を貫通した状態で土中に立てられるような寸法に設定してあること、を特徴とする砂耕栽培装置。
【請求項２】
前記の各支柱の上端を前記砂耕ベッドの載置パイプと連結固定可能で、各支柱の下端は尖っていることを特徴とする請求項１に記載の砂耕栽培装置。
【請求項３】
複数の支柱で、地面から所定の高さに、栽培用の砂耕ベッドを設置してなる構造において、
各支柱を挿通する筒体の下端に沈降防止板を固定し、地面に載置してあること、
各支柱は、前記の筒体を貫通した状態で土中に立ててあること、
各支柱を所定の高さで前記筒体に支持してあること、を特徴とする砂耕栽培装置。
【請求項４】
前記の沈降防止板の下に、この沈降防止板より面積の大きな下敷き板を敷き、前記支柱が貫通していることを特徴とする請求項３に記載の砂耕栽培装置。
【請求項５】
前記砂耕ベッドは、金網で底壁と側壁を構成すると共に、その内面に、砂粒の通過を阻止できる網目の砂ネットを敷き、その上に防根シートを重ねて、砂を入れて成ることを特徴とする請求項３または請求項４に記載の砂耕栽培装置。
【請求項６】
前記の砂耕ベッドの砂層に敷設した灌水管は、砂耕栽培に使用する水の水質分析の結果に応じて液肥調整してなる液肥の入った液肥タンクに接続され、給肥される構造となっていることを特徴とする請求項３、請求項４または請求項５に記載の砂耕栽培装置。
【考案の詳細な説明】
【技術分野】
【０００１】
本考案は、葉野菜や果菜、花卉などの栽培に適する砂層をベッド式にすると共に、現地に即応して各支柱単位に高さ調節可能な砂耕栽培装置に関する。
【背景技術】
【０００２】
特公平３-54537号に記載のように、幅方向の中央部が高く、両側部が低くなるように表面が円弧状に形成され、所定厚さを有する栽培培地床板と、この栽培培地床板の幅方向両側端部に設けられた排水路と、この排水路の両側から栽培培地床板の上面高さより高く立設され、栽培培地床板上に栽培地を収容するための側壁と、長さ方向側端部に設けられた接続部と、からなる栽培培地収容台を、高さが変更可能で、長さ方向に接続して組立、延長可能に構成したことを特徴とする組立式砂栽培施設が開示されている。
【特許文献２】特公平３-54537号
【考案の開示】
【考案が解決しようとする課題】
【０００３】
このような構成によると、施設栽培内に簡単に栽培培地収容台を高さを任意に設置できて、砂栽培を容易に実施することができる。そして、砂栽培においては、養液の浸透性、排水性が共に良く、土壌の塩類蓄積に起因する塩類濃度障害および土壌伝染性病害等が原因となる連作障害等を容易に排除できて、生産性を高め、施設費、栽培経費等を低廉にした野菜類、花卉類等の施設栽培を行うことができる。
【０００４】
しかしながら、高さ調節が不可能なため、急勾配や凹凸の激しい現地に即応した高さに設定するのが困難であり、大型の砂耕栽培に支障を来す。また、養液の浸透性や排水性を高めるために、中央部が高く両側部が低くなるような円弧状で所定厚の培地床板が必要となり、コストを招く。
本考案の技術的課題は、このような問題に着目し、野菜や果菜、花卉等の栽培に適する砂耕栽培ベッドの設置現場が急勾配や凹凸の激しい場合でも、各支柱ごとに容易に高さ調節でき、しかも砂耕栽培ベッド自体も簡素で安価な構造を実現することにある。
【課題を解決するための手段】
【０００５】
本考案の技術的課題は次のような手段によって解決される。請求項１は、複数の支柱で、地面から所定の高さに、栽培用の砂耕ベッドを設置する構造において、
各支柱を挿通する筒体の下端に沈降防止板を取付けてあること、
各支柱は、前記の筒体を貫通した状態で土中に立てられるような寸法に設定してあること、を特徴とする砂耕栽培装置である。このように、複数の支柱で、地面から所定の高さに、栽培用の砂耕ベッドを設置する構造において、各支柱を挿通する筒体の下端に沈降防止板を取付けてあるので、この筒体に挿通した支柱と固定すれば、固定位置で砂耕ベッドの高さを設定できる。したがって、各支柱ごとに、任意の高さに調節し設定できる。また、筒体に挿通する各支柱は、前記の筒体を通過した状態で土中に立てられるような寸法に設定してあるので、支柱を土中に立てることによって、砂耕ベッドを安定よく設置できる。
【０００６】
請求項２は、前記の各支柱の上端を前記砂耕ベッドの載置パイプと連結固定可能で、各支柱の下端は尖っていることを特徴とする請求項１に記載の砂耕栽培装置である。このように、前記の各支柱の上端を前記砂耕ベッドの載置パイプと連結固定可能に構成されているので、組立て式であるにも係わらず、安定した構造となる。また、各支柱の下端は尖っているので、土中に差し込むことで、容易に支柱を土中に立てることができ、現地作業が容易である。
【０００７】
請求項３は、複数の支柱で、地面から所定の高さに、栽培用の砂耕ベッドを設置してなる構造において、
各支柱を挿通する筒体の下端に沈降防止板を固定し、地面に載置してあること、
各支柱は、前記の筒体を貫通した状態で土中に立ててあること、
各支柱を所定の高さで前記筒体に支持してあること、を特徴とする砂耕栽培装置である。このように、複数の支柱で、地面から所定の高さに、栽培用の砂耕ベッドを設置してなる構造において、各支柱を挿通する筒体の下端に沈降防止板を固定し地面に載置した状態で、各支柱を所定の高さで前記筒体に支持してあるため、各支柱が土中に沈降するのを防止でき、しかも支持位置の選定によって、各支柱ごとに任意の高さに設定できる。また、各支柱は、前記の筒体を貫通した状態で土中に立ててあるため、砂耕ベッドの安定性が確保される。
【０００８】
請求項４は、前記の沈降防止板の下に、この沈降防止板より面積の大きな下敷き板を敷き、前記支柱が貫通していることを特徴とする請求項３に記載の砂耕栽培装置である。このように、前記の沈降防止板の下に、この沈降防止板より面積の大きな下敷き板を敷き、前記支柱が貫通しているため、各支柱ごとに軟弱地盤の場合には、予め下敷き板を置いてから、その上に沈降防止板を載せる共に支柱を挿通し土中に立てると、軟弱地盤の場合でも確実に沈降を防止できる。しかも、沈降防止板を小型化できる。
【０００９】
請求項５は、前記の砂耕ベッドは、金網で底壁と側壁を構成すると共に、その内面に、砂粒の通過を阻止できる網目の砂ネットを敷き、その上に防根シートを重ねて、砂を入れて成ることを特徴とする請求項３または請求項４に記載の砂耕栽培装置である。このように、前記の砂耕ベッドは、金網で底壁と側壁を構成すると共に、その内面に、砂粒の通過を阻止できる網目の砂ネットを敷き、その上に防根シートを重ねて、砂を入れて成る構造であるから、培地床板や排水路などのような特別な補助手段を必要とせず、簡素で安価な砂耕ベッドを実現できる。
【００１０】
請求項６は、前記の砂耕ベッドの砂層に敷設した灌水管は、砂耕栽培に使用する水の水質分析の結果に応じて液肥調整してなる液肥の入った液肥タンクに接続され、給肥される構造となっていることを特徴とする請求項３、請求項４または請求項５に記載の砂耕栽培装置である。このように、前記の砂耕ベッドの砂層に敷設した灌水管は、砂耕栽培に使用する水の水質分析の結果に応じて液肥調整してなる液肥の入った液肥タンクに接続され、給肥される構造となっているので、設置する現地の水の水質に対応した液質の液肥を給肥でき、それぞれの現地特有の状況に対応したシステムを実現できる。
【考案の効果】
【００１１】
請求項１のように、複数の支柱で、地面から所定の高さに、栽培用の砂耕ベッドを設置する構造において、各支柱を挿通する筒体の下端に沈降防止板を取付けてあるので、この筒体に挿通した支柱と固定すれば、固定位置で砂耕ベッドの高さを設定できる。したがって、各支柱ごとに、任意の高さに調節し設定できる。また、筒体に挿通する各支柱は、前記の筒体を通過した状態で土中に立てられるような寸法に設定してあるので、支柱を土中に立てることによって、砂耕ベッドを安定よく設置できる。
【００１２】
請求項２のように、前記の各支柱の上端を前記砂耕ベッドの載置パイプと連結固定可能に構成されているので、組立て式であるにも係わらず、安定した構造となる。また、各支柱の下端は尖っているので、土中に差し込むことで、容易に支柱を土中に立てることができ、現地作業が容易である。
【００１３】
請求項３のように、複数の支柱で、地面から所定の高さに、栽培用の砂耕ベッドを設置してなる構造において、各支柱を挿通する筒体の下端に沈降防止板を固定し地面に載置した状態で、各支柱を所定の高さで前記筒体に支持してあるため、各支柱が土中に沈降するのを防止でき、しかも支持位置の選定によって、各支柱ごとに任意の高さに設定できる。また、各支柱は、前記の筒体を貫通した状態で土中に立ててあるため、砂耕ベッドの安定性が確保される。
【００１４】
請求項４のように、前記の沈降防止板の下に、この沈降防止板より面積の大きな下敷き板を敷き、前記支柱が貫通しているため、各支柱ごとに軟弱地盤の場合には、予め下敷き板を置いてから、その上に沈降防止板を載せる共に支柱を挿通し土中に立てると、軟弱地盤の場合でも確実に沈降を防止できる。しかも、沈降防止板を小型化できる。
【００１５】
請求項５のように、前記の砂耕ベッドは、金網で底壁と側壁を構成すると共に、その内面に、砂粒の通過を阻止できる網目の砂ネットを敷き、その上に防根シートを重ねて、砂を入れて成る構造であるから、培地床板や排水路などのような特別な補助手段を必要とせず、簡素で安価な砂耕ベッドを実現できる。
【００１６】
請求項６のように、前記の砂耕ベッドの砂層に敷設した灌水管は、砂耕栽培に使用する水の水質分析の結果に応じて液肥調整してなる液肥の入った液肥タンクに接続され、給肥される構造となっているので、設置する現地の水の水質に対応した液質の液肥を給肥できるため、それぞれの現地特有の状況に対応したシステムを実現できる。
【考案を実施するための最良の形態】
【００１７】
次に本考案による砂耕栽培装置が実際上どのように具体化されるか実施形態を説明する。図１は、本考案による砂耕栽培装置の全容を示す側面図であり、左端から右端まで、例えば５〜６ｍ以上の長い砂耕ベッドＢが多数の支柱１…で支持されている。各支柱１…は、地面ＧＬより深く土壌２中に立てられている。したがって、砂耕ベッドＢは、地面ＧＬより高い位置に設置されていて、地面から空間３を隔てているので、現地の土壌の影響を受けることがない。
【００１８】
図２は、図１の砂耕ベッド設置状態の矢印ａ１方向の端面図で、拡大図で示してある。各支柱１…は、筒体４を貫通した状態で、尖った先端１ａを土中に刺して土壌２中に立ててある。筒体４の下端に沈降防止板５を取付け固定してあり、筒体４の外面からドリルネジ１８を螺入して、内側の支柱１の側壁に挿入し固定することで、支柱１を筒体４に固定支持してある。
【００１９】
任意の間隔をおいて立っている左右の支柱１・１が対になっていて、その上端に連結具１２で取付け固定した梁方向のパイプ６…の上に、図１のように桁方向のパイプ７…を例えば５本、等間隔に載置し、互いに連結固定してある。このように等間隔に縦横に配置した複数本の載置パイプから成る架台の上に砂耕ベッドＢを載置してある。
【００２０】
架台の載置パイプ上の砂耕ベッドＢは、砂層を収容するために、砂層に耐えられる強度の金網（ワイヤーメッシュ）８で長方形状の浅底の箱状籠を形成してある。その深さは、例えば５〜２０ｃｍ（好ましくは１０ｃｍ）程度、幅５０〜２００ｃｍ程度、長さは図１のように５〜６ｍ以上である。このように、底網８１と前後左右の浅い側壁網８２とで箱状に形成した偏平籠の内面に、砂粒が通過できない程度の網目の砂ネットｎを敷いてあり、その中において底面に防根シート９を敷き、その上から砂を入れて、砂層Ｓを形成してある。砂層Ｓの表面には、表面シート１０を被せて、砂層Ｓの液肥の蒸発を防いでいる。
【００２１】
１１は給肥パイプで、砂層Ｓの表面又は表面近くに、桁方向パイプ７…と平行に敷設してあり、液肥タンクから供給された液肥を、側壁に開けた散水孔から散布する。図示例では３本敷設してあるが、適宜増減できる。前記の支柱１…や梁方向パイプ６…、桁方向パイプ７…は強度を要するので金属製であるが、給肥パイプ１１は合成樹脂製で足りる。
【００２２】
図３は、給肥パイプ１１に供給する液肥を調合し、給肥制御する液肥管理装置と調合作業の手順に示すフローチャートである。まず、この砂耕栽培装置に使用する水が決定したら、使用水の水質を分析し、その結果、砂耕栽培装置に適しない場合は、別の水源を使用するか、貯水タンク等を設置して雨水の利用を検討する。分析の結果、砂耕栽培装置に使用可能な場合は、栽培する作物の種類や成長段階に応じた肥料設計や電気伝導率を設定し、調合する。この場合、酸タイプの液肥原液１号のタンクｔ１とアルカリタイプの液肥２号のタンクｔ２を用意し、それぞれ例えば１００倍原液とする。両タンクｔ１、ｔ２は、肥料管理機１３を経て希釈タンクＴに配管し、この希釈タンクＴから、前記の給肥パイプ１１に供給する。希釈タンクＴには、分析した使用水を供給して希釈し、灌水タイマー１４で、給肥パイプ１１に供給・停止する給肥ポンプＰ１の駆動タイミングを制御し、最適な灌水を行なう。また、攪拌ポンプＰ２で時々攪拌して、液肥の均質化を図る。
【００２３】
図４は沈降防止板５の他の実施形態で、筒体４と一体の沈降防止板５の下に下敷き板１６を重ねてある。この下敷き板１６は、沈降防止板５よりサイズが大きく、大面積なため、支柱１から受ける荷重は、大面積の下敷き板１６の全面に分散される。したがって、砂耕栽培装置を設置か所の地盤が砂地や沼地などのように軟弱な場合に適している。また、大面積の下敷き板１６を併用すれば、沈降防止板５を小型化できる。沈降防止板５と下敷き板１６の形状は、正方形が適しているが、円形や他の形状でも差し支えない。
【００２４】
使用に際しては、地面ＧＬ上に下敷き板１６と沈降防止板５を重ねて置いた状態で、支柱１を筒体４および下敷き板１６の円孔１７に挿通すると共に土中２にたたき込む。支柱１の地上突出高さが設計の高さになると、筒体４の側壁にドリルネジ１８をドリルドライバーでねじ込むと、先端のドリル部で内側の支柱１の側壁も貫通するので、支柱１が沈降防止板５および下敷き板１６に支持され、沈降不能となる。なお、ドリルネジ１８が１本だけでは強度不足の場合は、２本以上用いてもよい。
【００２５】
ドリルネジ１８による固定構造でなくスライド構造を採用したい場合は、図５のような円弧面による挟持構造が適している。図５の（１）は、ボルト位置の水平断面図、（２）はボルト位置の縦断面図である。支柱１の側壁に上下方向のスリット１９を開けて、その中に内側からボルト２０を挿通してある。円弧状の回り止め板２１に内側からボルト２０を挿通して、その頭２２を溶接固定した状態で、支柱１中に挿入し、ボルト２０をスリット１９→筒体４のボルト孔２３と貫通させて、ナット２４を螺合させてある。したがって、ナット２４を緩めて支柱１を上下にスライドさせ、支柱１を規定の高さに設定してからナット２４を締め付けると、円弧状板２１と筒体４との間に支柱１側壁が挟持固定される。このとき、円弧状板２１と支柱１側壁と筒体４との接触面積が大きいので、支柱１に作用する荷重が大きい場合でも、滑る恐れは少ない。
【００２６】
以上の実施形態における支柱１、筒体４、梁方向パイプ６…、桁方向パイプ７…や給肥パイプ11の径や肉厚は、砂耕栽培装置Ｂのサイズや荷重などに応じて決定される。また、砂耕栽培装置Ｂの各サイズや高さ等は、栽培される植物の種類や特性に応じて、作業性なども考慮して決定される。したがって、栽培する野菜や花卉などの種類によって、各部の寸法が決まる。給肥パイプ11の側壁に開けた散水孔は、栽培する植物の植付け間隔に合わせて開けてあり、表面シート10も植付け間隔と等間隔の穴を予め開けて、表面シート10の上から植物を植付け可能にしてある。
【産業上の利用可能性】
【００２７】
以上のように、本考案によると、砂耕栽培ベッドの支柱が、各支柱ごとに高さ調節できるので、設置現場が急勾配や凹凸の激しい場合でも、長い砂耕栽培ベッドを水平に設置できる。砂耕栽培ベッドを用いるので、地面と隔離して栽培でき、病害虫の被害が少なく、連作障害も起きにくい。培地が砂のため、水分や養分のコントロールも容易である。しかも、砂耕栽培ベッド自体も簡素で安価な構造のため、溶液栽培システムに比べて、設備費が大幅に低減できる。
【図面の簡単な説明】
【００２８】
【図１】本考案による砂耕栽培装置の全容を示す側面図である。
【図２】図１の砂耕ベッド設置状態の端面拡大図である。
【図３】液肥の調合手順を示すフローチャートと液肥管理供給装置である。
【図４】沈降防止板の他の実施形態を示す縦断面図である。
【図５】支柱の円弧状挟持構造を示す水平断面図と縦断面図である。
【符号の説明】
【００２９】
Ｂ  砂耕ベッド
Ｓ  砂層
１  支柱
４  筒体
５  沈降防止板
６  梁方向パイプ
７  桁方向パイプ
８  砂層収容金網
９  防根シート
１０  表面シート
１１  給肥パイプ
１２  連結具
１３  肥料管理機
Ｔ  希釈タンク
１４  灌水タイマー
Ｐ１  給肥ポンプ
Ｐ２  攪拌ポンプ
１６  下敷き板
１８  ドリルネジ
１９  スリット
２０  ボルト
２１  回り止め板
【図１】
0003135625.tif 000003
【図２】
0003135625.tif 000004
【図３】
0003135625.tif 000005
【図４】
0003135625.tif 000006
【図５】
0003135625.tif 000007